(57)【特許請求の範囲】
【請求項１】
遊技球による遊技の進行に応じて当該遊技に伴う演出が行われる遊技機であって、
遊技球が打ち出される遊技盤と、
前記遊技盤が装着される枠体と、
前記枠体に対して開閉可能に装着された開閉体と、
前記開閉体に設けられ且つ複数の枠分割体を互いに結合して構成される装飾部品取付部材と、
前記複数の枠分割体のうち第１枠分割体の一端部から張り出すように前記第１枠分割体に着脱可能に固定された基板取付部材と、
前記基板取付部材に装着された第１基板と、
前記複数の枠分割体のうち前記第１枠分割体に前記基板取付部材を介して一端部が結合される第２枠分割体と、
前記基板取付部材に装着された前記第１基板と対向するように前記第２枠分割体に装着された第２基板と、
前記第１，第２基板が互いに対向する第１，第２基板対向面を夫々有し、
前記第１，第２基板対向面の一方に取り付けられ、他方の基板対向面へ突出し且つ付勢された導電性のスプリングピンと、
前記第１，第２基板対向面の他方に取り付けられ、前記スプリングピンの先端部が圧接される導電性の接触片とを有することを特徴とする遊技機。
【発明の詳細な説明】
【技術分野】
【０００１】
本発明は、遊技機に関し、特に遊技盤が装着される枠体に開閉可能に装着される開閉体に取付けられる装飾部品取付枠を複数の枠分割体を結合して構成し、枠分割体同士を結合する結合部において基板の端子同士を接続する接続構造を簡単化したものに関する。
【背景技術】
【０００２】
弾球遊技機には、遊技球が打ち出される遊技盤と、この遊技盤が装着される枠体と、この枠体に対して開閉可能に装着された開閉体とが設けられており、開閉体の前面部には、遊技球による遊技の進行に応じた遊技演出を行なう為の複数のＬＥＤを実装した基板やその装飾カバー等の装飾部品が取付けられる枠状の装飾部品取付部材が設けられている。この装飾部品取付部材は、金型で合成樹脂材料を成形することで一体品に製作される。
【０００３】
特許文献１に記載の遊技機においても、合成樹脂製の一体品の装飾部材（装飾部品取付部材）が採用され、この装飾部材の下部には遊技球を貯留する貯留皿が形成されている。
この特許文献１に記載はないが、装飾部品取付部材の左右両側部には複数のＬＥＤが実装された基板が装着され、これら複数のＬＥＤを複数の発光色で異なるタイミングで発光させるように制御する関係上、それらランプへ通電する為の複数の導電ライン（基板上の導電回路を含む）が、装飾部品取付部材に沿って導設される。
【先行技術文献】
【特許文献】
【０００４】
【特許文献１】特開２００６−２６３２４２号公報
【発明の概要】
【発明が解決しようとする課題】
【０００５】
前記の装飾部品取付部材を合成樹脂の成形品で一体の部材に構成する場合には、成形金型が大型化しかつ複雑化し、製作費が高価になる。
そこで、装飾部品取付部材を複数の枠分割体で構成することが考えられるが、そうすると、複数の導電ラインも分断されるため枠分割体同士を結合する結合部において複数の導電ラインを接続するコネクタを設ける必要がある。この場合、一方の基板の複数の導電回路に、雄側コネクタから延びる複数の導電線を接続し、他方の基板の複数の導電回路に雌側コネクタから延びる複数の導電線を接続し、その雄側コネクタと雌側コネクタとを接続することになる。
【０００６】
しかし、前記のようなコネクタを設ける場合、複数の導電線及びコネクタの部品コスト、複数の導電線を基板の導電回路に接続するコスト等がかかるため、製作費が高価になるうえ、基板の近傍の狭隘な空間に複数の導電線と雄コネクタおよび複数の導電線と雌コネクタとを収容するスペースも必要となり、装飾部品取付部材の設計上の制約が多くなる。複数の導電線を接続する作業も煩雑になる。
【０００７】
本発明の目的は、装飾部品取付部材を複数の枠分割体で構成することで製作費を低減可能にすると共に前記枠分割体の結合部において複数の導電ラインを容易に接続可能な遊技機を提供することである。
【課題を解決するための手段】
【０００８】
本願発明は以下の構成を有するものである。尚、参照符号は、本願発明の理解促進の為に図面に図示した構成要素との対応関係の一例を示したものであり、本願発明の技術的範囲を限定するものではない。
【０００９】
本発明は、遊技球による遊技の進行に応じて当該遊技に伴う演出が行われる遊技機(1) であって、遊技球が打ち出される遊技盤(2)と、前記遊技盤(2)が装着される枠体(3)と、前記枠体(3)に対して開閉可能に装着された開閉体(4)と、前記開閉体(4)に設けられ且つ複数の枠分割体(12〜15)を互いに結合して構成される装飾部品取付部材(10)と、前記複数の枠分割体(12〜15)のうち第１枠分割体(15)の一端部から張り出すように前記第１枠分割体(15)に着脱可能に固定された基板取付部材(60)と、前記基板取付部材(60)に装着された第１基板(61)と、前記複数の枠分割体(12〜15)のうち前記第１枠分割体(15)に前記基板取付部材(60)を介して一端部が結合される第２枠分割体(14)と、前記基板取付部材(50)に装着された前記第１基板(61)と対向するように前記第２枠分割体(14)に装着され第２基板(40)と、前記第１，第２基板(61,40) が互いに対向する第１，第２基板対向面(62,45) を夫々有し、前記第１，第２基板対向面(62,45)の一方に取り付けられ、他方の基板対向面へ突出し且つ付勢された導電性のスプリングピン(56a)と、前記第１，第２基板対向面(62,45)の他方に取り付けられ、前記スプリングピン(56a)の先端部が圧接される導電性の接触片(64a) とを有することを特徴としている。
【発明の効果】
【００１２】
本発明によれば、第１，第２基板対向面の一方に設けたスプリングピンを、第１，第２基板対向面の他方に設けた導電性の接触片に押圧することで、第１，第２基板の導電回路を電気的に接続するように構成したため、コネクタ及び導電線を省略できるため、製作費を低減することができ、コネクタ及び導電線を収容するスペースを省略できるため装飾部品取付部材の設計上の制約も生じない。
【図面の簡単な説明】
【００１３】
【図１】本発明の実施例に係る弾球遊技機の正面図である。
【図２】開閉体の一部を構成する装飾部品取付け部材の斜視図である。
【図３】装飾部品取付け部材の背面図である。
【図４】枠体の正面図である。
【図５】左辺枠部と右辺枠部と皿ユニット取付け部を結合した装飾部品取付け部材の要部斜視図である。
【図６】皿ユニット取付け部の背面側を視た斜視図である。
【図７】基板取付部材を取外した皿ユニット取付け部を正面側から視た斜視図である。
【図８】図２の要部拡大斜視図である。
【図９】図２の要部拡大斜視図である。
【図１０】左辺枠部を正面側から視た斜視図である。
【図１１】右辺枠部を正面側から視た斜視図である。
【図１２】左側上部の基板取付部材を前面側を視た斜視図である。
【図１３】左側上部の基板取付部材を背面側を視た斜視図である。
【図１４】左側上部の基板取付部材の正面図である。
【図１５】左側上部の基板取付部材の背面図である。
【図１６】左側下部の基板取付部材を前面側を視た斜視図である。
【図１７】左側下部の基板取付部材と基板の分解斜視図である。
【図１８】左側下部の基板取付部材の正面図である。
【図１９】左側下部の基板取付部材の背面図である。
【図２０】右側下部の基板取付部材を前面側を視た斜視図である。
【図２１】右側下部の基板取付部材と基板の分解斜視図である。
【図２２】右側下部の基板取付部材の正面図である。
【図２３】右側下部の基板取付部材の背面図である。
【発明を実施するための形態】
【００１４】
以下、本発明を実施するための形態について実施例に基づいて説明する。
【実施例】
【００１５】
図１〜図４に示すように、本実施例に係る弾球遊技機１は、遊技球による遊技の進行に応じて当該遊技に伴う演出が行われる一般的な弾球遊技機と同様の遊技機である。
この遊技機１は、前面側に遊技球が打ち出される遊技盤２が装着された枠体３（外枠と内枠）と、この枠体３の左側端部に左側端部が回動自在にヒンジ連結され且つ遊技盤２の前面を塞ぐガラス板が装着された開閉体４（前枠）であって閉状態のとき枠体３の前側に位置する開閉体４とを備えている。以下の説明において、遊技機１の前側から視た前後左右を前後左右として説明する。
【００１６】
前記枠体３には、背面側の上部に位置する球タンク（図示略）、球タンクから払出ユニットを経由して貯留皿（図示略）の球導入口に導く球通路（図示略）、この球通路の途中部に介装された払出機構を含む払出ユニット（図示略）、球通路の途中部分を形成する球通路ユニット５、球通路の下流端に設けられた球止機構６、遊技盤２に組み込まれた球遊技演出用の画像表示装置７、種々の球検出用スイッチを含むスイッチ類、複数のギミック類、画像表示装置７とスイッチ類とギミック類と複数のＬＥＤとスピーカなどに電気的に接続された複数の制御ユニット、複数の電源機器（図示略）などが装着されている。
【００１７】
開閉体４は、複数のＬＥＤ、複数の基板、スピーカ、装飾カバー１６〜２０（装飾レンズ）などの装飾部品が装着される合成樹脂製の装飾部品取付枠１０（装飾部品取付部材に相当する）を備えている。この装飾部品取付枠１０の背面には、この装飾部品取付枠１０を補強する鋼板製の矩形枠形の補強枠部材が固定されている。
開閉体４の下部には皿ユニット２１が装着され、この皿ユニット２１には、貯留皿（図示略）、発射装置２２、遊技者が操作する演出用操作ボタン２３及び複数の操作ボタン類２４、下皿２５などが設けられている。
【００１８】
図２に示すように、装飾部品取付枠１０は、上辺枠部１２と、左辺枠部１３と、右辺枠部１４と、皿ユニット取付け部１５とを互いに結合し、それら枠部材１２〜１４を前記補強枠部材に複数のビスや係合ボス部や嵌合部により固定することにより一体的な枠状部材に構成されている。尚、上辺枠部１２、左辺枠部１３、右辺枠部１４、皿ユニット取付け部１５が夫々枠分割体に相当するものである。
【００１９】
上辺枠部１２の左右両端側部分には、夫々、ＬＥＤと反射凹面鏡とレンズとプリズムなどを含む発光ギミック（図示略）が装着され、それら発光ギミックの前面が装飾カバー１６，１７で夫々覆われている。上辺枠部１２の中央側部分にはＬＥＤとその前面を覆う装飾カバー１８が装着されている。前記装飾カバー１６〜１８の内側において上辺枠部１２の鉛直な前面には、複数の基板（図示略）が装着されている。
【００２０】
図２、図５〜図８，図１０に示すように、上辺枠部１２の左端部には連結部１２ａが形成され、左辺枠部１３の上端部には前記連結部１２ａと結合させる為の段付きの連結部１３ａが形成され、連結部１３ａに連結部１２ａを前方から当接させ位置決めして密着状に結合するようになっている。皿ユニット取付け部１５の左端側上端部には連結部１５ａが形成され、左辺枠部１３の下端部には前記連結部１５ａと結合させる為の段付きの連結部１３ｂが形成され、この連結部１３ｂに前方へ突出する板状の突出片１３ｃが形成され、この突出片１３ｃを前記連結部１５ａに形成した溝部１５ｂに後方から係合させることで、左辺枠部１３の下端部の連結部１３ｂを皿ユニット取付け部１５の連結部１５ａに後方から当接させ位置決めして密着状に結合するようになっている。
【００２１】
左辺枠部１３の鉛直な前面には、その全長にわたる基板３０が装着され、この基板３０には複数のＬＥＤ３０ａと複数の導電ラインなどが設けられ、左辺枠部１３の前面側を覆う装飾カバー１９が装着される。基板３０の上端側部分には装飾カバー１９の上端から上方へはみ出し前方に向いた基板対向面３１が形成され、この基板対向面３１には５つのピンブロック３２が２列に装着されている。各ピンブロック３２には小径コイルスプリングで前方へ付勢されて前方へ突出している導電性の４本の小径のスプリングピン３２ａが装着されている。各スプリングピン３２ａは基板３０の導電ラインに接続され導電ラインの端子として機能するものである。
【００２２】
図２、図１２〜図１５に示すように、上辺枠部１２の前面の左端側部分の前面には、基板３４を収容した基板取付部材３３が複数のビスで固定され、この基板取付部材３３はその下半部が連結部１２ａから下方へ張り出している。基板取付部材３３は透明な合成樹脂製のものである。基板３４の背面は後方へ露出しており、その基板３４には基板３０の基板対向面３１に前方から対向する基板対向面３５が形成され、この基板対向面３５には、基板３０の基板対向面３１の５つのピンブロック３２に対応する偏平な５つの接触ブロック３６が装着されている。
【００２３】
各接触ブロック３６には４本のスプリングピン３２ａに接触可能な４つの導電性の接触片３６ａが設けられている。各接触片３６ａは基板３４の導電ラインに接続され導電ラインの端子として機能するものである。前記基板３４の背面には複数の導電ラインを分離可能に接続するコネクタの雄側又は雌側の接続具３７が設けられている。
【００２４】
左辺枠部１３に対して上辺枠部１２を前方から組み付ける際に、左辺枠部１３の基板３０の基板対向面３１に、上辺枠部１２の基板３４の基板対向面３５を前方から接近させて、連結部１２ａに連結部１３ａを結合すると、５つの接触ブロック３６が５つのピンブロック３２に接近して、各スプリングピン３２ａの先端部が対応する接触片３６ａに圧接されて電気的に接続される。尚、基板対向面３１，３５の前側は上辺枠１２側の装飾カバー１６で覆われる。
【００２５】
図２、図１１に示すように、上辺枠部１２の右端部には連結部１２ｂが形成され、右辺枠部１４の上端部には前記連結部１２ｂと結合させる為の段付きの連結部１４ａが形成され、この連結部１４ａに前方へ突出する板状の突出片１４ｂが形成され、この突出片１４ｂを連結部１２ｂに形成した溝部（図示略）に係合させることで、右辺枠部１４の上端部を上辺枠部１２の左端部に位置決めして密着状に結合するように構成されている。
【００２６】
皿ユニット取付け部１５の右端側上端部には連結部１５ｃが形成され、右辺枠部１４の下端部には前記連結部１５ｃと結合させる為の段付きの連結部１４ｃが形成され、この連結部１４ｃに前方へ突出する板状の複数の突出片１４ｄが形成され、これら突出片１４ｄを前記連結部１５ｃに形成した複数の溝部１５ｄに係合させることで、右辺枠部１４の下端部の連結部１４ｃが皿ユニット取付け部１５の連結部１５ｃに後方から当接させ位置決めして密着状に結合するようになっている（図６参照）。
【００２７】
右辺枠部１４の鉛直な前面にはその全長にわたる基板４０が装着され、この基板４０には複数のＬＥＤ４０ａと複数の導電ラインなどが設けられ、右辺枠部１４の前面側を覆う装飾カバー２０が装着される。右辺枠部１４に対して上辺枠部１２を前方から組み付ける際には、連結部１４ａに連結部１２ｂを前側から結合させる。
【００２８】
図１０に示すように、左辺枠部１３の基板３０の下端側部分には装飾カバー１９の下端からはみ出し前方に向いた基板対向面４２が形成され、この基板対向面４２には、前記と同様の５つのピンブロック４３が１列状に装着されている。各ピンブロック４３には、前記同様の導電性の４本のスプリングピン４３ａが設けられ、各スプリングピン４３ａは基板３０の導電ラインに接続され導電ラインの端子として機能するものである。
【００２９】
図５、図６、図８、図１６〜図１９に示すように、皿ユニット取付け部１５の左端側の上端部の前面には、基板５１を収容した基板取付部材５０が２つのビス５２で固定されている。透明な合成樹脂製の基板取付部材５０はケース本体５０ａとカバー５０ｂとで構成されている。基板５１にはＬＥＤ５１ａと導電ラインが設けられている。
【００３０】
基板取付部材５０と基板５１の左端側上端部は、皿ユニット取付け部１５の連結部１５ａから上方へ約１５〜２０ｍｍ程度はみ出し、そのはみ出した基板部分には、前記基板３０の基板対向面４２に前方から対向する基板対向面５２が形成され、この基板対向面５２を露出させる為の矩形開口５０ｃが基板取付部材５０のケース本体５０ａに形成されている。
【００３１】
左辺枠部１３の基板３０の基板対向面４２には２つのピン穴４４が間隔をあけて形成されており、前記基板取付部材５０の左端側上端部には、前記２つのピン穴４４に嵌合させて、皿ユニット取付け部１５に対して左辺枠部１３を位置決めする２つの位置決めピン５３が後方へ突出するように一体形成されている。基板取付部材５０の矩形開口５０ｃから前方へ露出した基板部分には、複数の導電ラインを電気的に接続するコネクタの雄側又は雌側の接続具５４が装着されている。
【００３２】
前記皿ユニット取付け部１５の基板５１の基板対向面５２には、前記５つのピンブロック４３に対応する偏平な５つの接触ブロック５５が設けられ、各接触ブロック５５には、ピンブロック４３の４本のスプリングピン４３ａに接触可能な４つの導電性の接触片５５ａが装着されている。各接触片５５ａは基板５１の導電ラインに接続され導電ラインの端子として機能するものである。
【００３３】
前記皿ユニット取付け部１５に対して左辺枠部１３を後方から組み付ける際に、左辺枠部１３の基板３０の基板対向面４２を皿ユニット取付け部１５の基板５１の基板対向面５２に後方から接近させ、２つのピン穴４４に２つの位置決めピン５３を嵌合させ、連結部１５ａに連結部１３ｂを結合させると、５つのピンブロック４３が５つの接触ブロック５５に接近して、各スプリングピン４３ａの先端部が対応する接触片５５ａに圧接されて電気的に接続される。
【００３４】
図１１に示すように、右辺枠部１４の基板４０の下端部分には装飾カバー２０からはみ出して前方に向いた基板対向面４５が形成され、この基板対向面４５には、前記同様の２つのピンブロック５６が１列状に設けられ、各ピンブロック５６には、前記同様の導電性の４本のスプリングピン５６ａが設けられている。各スプリングピン５６ａは基板４０の導電ラインに接続され導電ラインの端子として機能するものである。
【００３５】
図５、図６、図９、図２０〜図２３に示すように、皿ユニット取付け部１５の右端側の上端部には、基板６１を収容した基板取付部材６０が２つのビス７１で基板６１の面と平行に左右方向に可動に取付けられている。透明な合成樹脂製の基板取付部材６０は、ケース本体６０ａとカバー６０ｂとで構成されている。基板取付部材６０と基板６１の右側上部と右側部分は、皿ユニット取付け部１５の連結部１５ｃから上方へはみ出し、そのはみ出した基板部分には、前記基板対向面４５に対向する基板対向面６２が形成され、この基板対向面６２を露出させる為の矩形開口６３が基板取付部材６０に形成されている。
【００３６】
その基板対向面６２には、基板４０の下端側の２つのピンブロック５６に対応する偏平な２つの接触ブロック６４が設けられ、各接触ブロック６４には、前記基板対向面４５のピンブロック５６の４本のスプリングピン５６ａに接触可能な４つの導電性の接触片６４ａが形成されている。各接触片６４ａは基板６１の導電ラインの端子として機能するものである。基板取付部材６０の前面には矩形の開口６５が形成され、この開口６５から露出する基板部分には複数の導電ラインを接触するコネクタの雄側又は雌側の接続具６６が装着され、この接続具６６の複数の端子は基板６１の複数の導電ラインに接続されている。
【００３７】
ここで、装飾部品取付枠１０の背面側には、鋼板製の補強枠部材１１が設けられているため、皿ユニット取付け部１５に対する左辺枠部１３や右辺枠部１４の位置関係は、補強枠部材１１によって拘束される。それ故、皿ユニット取付け部１５を構成する合成樹脂材料の量が多いため、皿ユニット取付け部１５を射出成形する時の左右方向の熱収縮量が大きくなる傾向があり、その熱収縮を含む製作誤差が大きくなると、装飾部品取付枠１０の組み立て時に、８本のスプリングピン５６ａが８つの接触片６４ａから位置ズレして導電接続できなくなる虞がある。
【００３８】
そこで、皿ユニット取付け部１５に対して右辺枠部１４を組み付ける際に、２つのピンブロック５６の８本のスプリングピン５６ａの先端部が２つの接触ブロック６４の８つの接触片６４ａに夫々当接するように基板取付部材６０を移動させて位置決め可能な位置決め機構７０が設けられている。
【００３９】
この位置決め機構７０は、基板取付部材６０に形成した２つのビス穴７２と、これらビス穴７２に挿通させて基板取付部材６０を皿ユニット取付け部１５に取付ける２本のビス７１と、基板取付部材６０に形成した２つの位置決めピン７３と、基板４０の基板対向面４５に形成した２つの位置決め用ピン穴７４とで構成されている。
【００４０】
基板取付部材６０の上端側の左端近傍部と下端部には左右方向に細長い長穴からなる２つのビス穴７２が形成され、これらビス穴７２に夫々前方から挿入した２本のビス７１が皿ユニット取付け部１５のネジ穴に螺合され、基板取付部材６０は基板６１の面と平行に左右方向へ約２，３ｍｍ移動可能に装着されている。
【００４１】
基板取付部材６０の上端部には、前後方向向きの２つの位置決めピン７３が後方へ突出するように一体形成されており、右辺枠部１４の連結部１４ｃを皿ユニット取付け部１５の連結部１５ｃに後方から組み付けると、基板取付部材６０が前記ビス穴７２を介して左右方向へ僅かに移動して、２つのピン穴７４に２つの位置決めピン７３が嵌合すると共に、２つのピンブロック５６の８本のスプリングピン５６ａの先端部が２つの接触ブロック６４の８つの接触片６４ａに夫々押圧されるようになる。
【００４２】
次に、以上説明した遊技機１の作用、効果について説明する。
開閉体４に取付けられる装飾部品取付部材１０を複数の枠分割体である上辺枠部１２と、左辺枠部１３と、右辺枠部１４と、皿ユニット取付け部１５を互いに結合して構成するため、複数組の成形用金型は必要になるものの、小型化で簡単な構造の金型で前記の複数の枠分割体を成形可能になるため、装飾部品取付部材１０の製作費を大幅に低減することができる。
【００４３】
しかも、右辺枠部１４と皿ユニット取付け部１５の連結部において、右辺枠部１４の基板４０の基板対向面４５にピンブロック５６を設け、ピンブロック５６に前方へ突出する導電性の複数のスプリングピン５６ａを設け、皿ユニット取付け部１５に基板取付部材６０を設け、この基板取付部材６０に装着した基板６１に前記基板対向面４５に対向する基板対向面６２を形成し、この基板対向面６２に接触ブロック６４を設け、その接触ブロック６４に前記ピンブロック５６の複数のスプリングピン５６ａの先端部が押圧される導電性の複数の接触片６４ａを設け、右辺枠部１４の連結部１４ｃを皿ユニット取付け部１５の連結部１５ｃに後方から当接させて連結する際に、複数のスプリングピン５６ａの先端部を複数の接触片６４ａに押圧することで導電接続するように構成したため、前記連結部１４ｃ，１５ｃ同士を連結するのと並行して、前記複数のスプリングピン５６ａと複数の接続片６４ａを導電接続させて、基板４０の複数の導電ラインを基板６１の複数の導電ラインに電気的に接続することができる。このように簡単な連結作業により、導電接続を達成することができる。
【００４４】
基板４０の複数の導電ラインを基板６１の複数の導電ラインに、通常のコネクタを介して接続する場合に比較して、コネクタ及びそれに接続された導電線を省略できるため、製作費を低減することができ、コネクタ及び導電線を収容するスペースを省略できるため装飾部品取付部材１０の設計上の制約も生じない。
【００４５】
しかも、基板取付部材６０を長穴からなる１対のビス穴７２を介して、皿ユニット取付け部１５に左右方向へ基板６１の面と平行に移動可能に装着し、皿ユニット取付け部１５と右辺枠部１４とを組付ける際に、基板対向面４５の複数のスプリングピン５６ａの先端部が基板対向面６２の複数の接触片６４ａに夫々当接するように基板取付部材６０を移動させて位置決め可能な位置決め機構７０を設けたため、皿ユニット取付け部１５や右辺枠１４の製作誤差により、皿ユニット取付け部１５と右辺枠部１４の相対的な位置関係に微小な位置ズレが生じたとしても、複数のスプリングピン５６ａの先端部を複数の接触片６４ａに夫々確実に当接させることができる。
【００４６】
前記と同様に、皿ユニット取付け部１５の連結部１５ａに左辺枠部１３の連結部１３ｂを連結する際にも、その連結作業と並行的に、基板３０の複数のスプリングピン４３ａを皿ユニット取付け部１５の基板取付部材５０内の基板５１の複数の接触片５５ａに導電接続することができる。また、上面枠部１２の連結部１２ａに左辺枠部１３の連結部１３ａを連結する際にも、その連結作業と並行的に、前記と同様に、上面枠部１２の基板の複数の導電ラインを左辺枠部１３の基板３０の複数の導電ラインに導電接触することができる。
【００４７】
前記実施例を部分的に変更する例について説明する。
（１）前記実施例では、皿ユニット取付け部１５の左端上部に装着する基板取付部材５０は移動不能に装着したが、基板取付部材６０と同様の構成により上下方向へ約２，３ｍｍ移動可能に構成してもよい。
（２）上片枠部１２と右辺枠部１４を連結する連結部にも、ピンブロックと接触ブロックを介して導電接続する機構を設けてもよい。
（３）位置決め機構７０において、基板４０に位置決めピン７３を設け、基板取付部材６０に位置決め用ピン穴７４を形成してもよい。
（４）その他、本発明の趣旨を逸脱しない範囲で、前記実施例に種々の変更を付加した形態で実施することができる。
【産業上の利用可能性】
【００４８】
本発明は、種々の弾球遊技機に適用することができる。
【符号の説明】
【００４９】
１        遊技機
２        遊技盤
３        枠体
４        開閉体
１０      装飾部品取付部材
１２    上辺枠部
１３      左辺枠部
１４      右辺枠部
１５        皿ユニット取付け部
４０，６１  基板
４５，６２  基板対向面
５６ａ      スプリングピン
６０        基板取付部材
６４ａ      接触片
７０      位置決め機構
７１        ビス
７２        ビス穴
７３        位置決めピン
７４        位置決め穴
【図１】
0005467658.tif 000002
【図２】
0005467658.tif 000003
【図３】
0005467658.tif 000004
【図４】
0005467658.tif 000005
【図５】
0005467658.tif 000006
【図６】
0005467658.tif 000007
【図７】
0005467658.tif 000008
【図８】
0005467658.tif 000009
【図９】
0005467658.tif 000010
【図１０】
0005467658.tif 000011
【図１１】
0005467658.tif 000012
【図１２】
0005467658.tif 000013
【図１３】
0005467658.tif 000014
【図１４】
0005467658.tif 000015
【図１５】
0005467658.tif 000016
【図１６】
0005467658.tif 000017
【図１７】
0005467658.tif 000018
【図１８】
0005467658.tif 000019
【図１９】
0005467658.tif 000020
【図２０】
0005467658.tif 000021
【図２１】
0005467658.tif 000022
【図２２】
0005467658.tif 000023
【図２３】
0005467658.tif 000024